(57)【要約】【課題】ユーザの操作性の低下を抑制することが可能な技術を提供する。【解決手段】表示装置（たとえばＭＦＰ）は、ベース画面２００を表示するとともに、当該ベース画面２００内に配置された特定の設定ボタン２５２の押下操作に応答して、当該設定ボタン２５２に対応する設定画面３００（３０１）をポップアップ表示する。ＭＦＰは、ユーザによる縮小操作に応答して、ベース画面２００を変倍率Ｒ１で縮小してタッチパネル２５に表示する。ＭＦＰは、縮小して表示されたベース画面２００内の設定ボタン２５２の押下操作に応答して設定画面３０１をポップアップ表示するにあたって、当該変倍率Ｒ１よりも大きい変倍率Ｒ２に対応する大きさで設定画面３０１を生成するとともに、当該設定ボタン２５２内の文字領域と設定画面３０１とが重ならないように当該設定画面３０１を配置する。【選択図】図４
2019106007.tif 000002
【特許請求の範囲】
【請求項１】
表示装置であって、
第１の画面を表示するとともに、前記第１の画面内に配置された特定のボタンの押下操作に応答して、前記特定のボタンに対応する第２の画面をポップアップ表示する表示手段と、
ユーザによる縮小操作に応答して、前記第１の画面を第１の変倍率で縮小して前記表示手段に表示する表示制御手段と、
を備え、
前記表示制御手段は、縮小して表示された前記第１の画面内の前記特定のボタンの押下操作に応答して前記第２の画面をポップアップ表示するにあたって、前記第１の変倍率よりも大きい第２の変倍率に対応する大きさで前記第２の画面を生成するとともに、前記特定のボタン内に設けられた文字領域であって前記特定のボタンに関する文字列を表示する文字領域と前記第２の画面とが重ならないように前記第２の画面を配置することを特徴とする表示装置。
【請求項２】
請求項１に記載の表示装置において、
前記第１の画面は、前記特定のボタンを含む複数のボタンを有し、
前記表示制御手段は、縮小して表示された前記第１の画面内の前記特定のボタンの押下操作に応答して前記第２の画面をポップアップ表示するにあたって、前記第２の画面と前記複数のボタンのうちの前記特定のボタンとを関連付ける表示処理である関連付け表示処理を実行することを特徴とする表示装置。
【請求項３】
請求項２に記載の表示装置において、
前記関連付け表示処理は、前記第２の画面と前記特定のボタンとが接するように前記第２の画面が配置される場合において前記第２の画面と前記特定のボタンとの境界線を非表示化する処理であることを特徴とする表示装置。
【請求項４】
請求項２に記載の表示装置において、
前記関連付け表示処理は、前記特定のボタンの背景を前記第２の画面の背景と同一の色を用いて表示し、且つ、前記複数のボタンのうち、前記特定のボタン以外のボタンの背景を前記第２の画面の背景とは異なる色を用いて表示する処理であることを特徴とする表示装置。
【請求項５】
請求項１から請求項４のいずれかに記載の表示装置において、
前記表示制御手段は、縮小して表示された前記第１の画面内の前記特定のボタンの押下操作に応答して前記第２の画面をポップアップ表示するにあたって、前記第１の画面の縮小に伴って縮小された前記特定のボタンを、前記第２の変倍率に対応する大きさで生成された前記第２の画面と前記特定のボタン内の文字領域とが重ならないように拡大して表示することを特徴とする表示装置。
【請求項６】
請求項１から請求項５のいずれかに記載の表示装置において、
前記表示制御手段は、前記縮小操作後の前記表示手段において前記第２の画面を配置することが許容される配置許容領域内に前記第２の画面がその縦横比を変更せずに収まる大きさに対応する変倍率を、前記第２の変倍率として算出することを特徴とする表示装置。
【請求項７】
請求項６に記載の表示装置において、
前記第２の画面の前記配置許容領域は、縮小して表示された前記第１の画面の幅と同じ幅を有することを特徴とする表示装置。
【請求項８】
請求項６または請求項７に記載の表示装置において、
前記第２の画面の前記配置許容領域は、前記縮小操作後の前記表示手段の表示領域において前記特定のボタンの上端部よりも上方に存在することを特徴とする表示装置。
【請求項９】
請求項６または請求項７に記載の表示装置において、
前記第２の画面の前記配置許容領域は、前記縮小操作後の前記表示手段の表示領域において前記特定のボタンの下端部よりも下方に存在することを特徴とする表示装置。
【請求項１０】
請求項１から請求項９のいずれかに記載の表示装置において、
前記表示制御手段は、前記第２の画面の元の大きさであって縮小して表示される前の前記第１の画面にてポップアップ表示される前記第２の画面の大きさに対応する変倍率以下の変倍率を、前記第２の変倍率として算出することを特徴とする表示装置。
【請求項１１】
請求項１から請求項１０のいずれかに記載の表示装置において、
前記表示装置には、前記表示装置とは別の機種の表示装置に設けられているハードウエアキーが設けられておらず、
前記表示手段は、前記ハードウエアキーの代わりに、前記ハードウエアキーに対応する画像であるハードウエアキー画像を前記第１の画面に表示し、
前記表示制御手段は、前記第２の画面が前記特定のボタン内の文字領域のみならず前記ハードウエアキー画像にも重ならないように前記第２の画面を配置することを特徴とする表示装置。
【請求項１２】
請求項１から請求項１１のいずれかに記載の表示装置において、
前記表示手段は、矩形形状を有し、
前記縮小操作は、前記表示手段を横長の状態から縦長の状態に変更する操作であることを特徴とする表示装置。
【請求項１３】
請求項１から請求項１１のいずれかに記載の表示装置において、
前記縮小操作は、前記表示手段に表示された前記第１の画面に対するピンチイン操作であることを特徴とする表示装置。
【請求項１４】
請求項１から請求項１３のいずれかに記載の表示装置において、
前記表示手段は、前記第２の画面内に配置された一のボタンの押下操作に応答して、前記一のボタンに対応する第３の画面をポップアップ表示し、
前記表示制御手段は、前記縮小操作後に表示された前記第２の画面内の前記一のボタンの押下操作に応答して前記第３の画面をポップアップ表示するにあたって、前記第１の変倍率よりも大きい第３の変倍率に対応する大きさで前記第３の画面を生成するとともに、前記一のボタンと前記第３の画面とが重ならないように前記第３の画面を配置することを特徴とする表示装置。
【請求項１５】
表示制御方法であって、
ａ）第１の画面を表示することが可能な表示手段であって、前記第１の画面内に配置された特定のボタンの押下操作に応答して、前記特定のボタンに対応する第２の画面をポップアップ表示することが可能な表示手段において、ユーザによる縮小操作に応答して、前記第１の画面を第１の変倍率で縮小して表示するステップと、
ｂ）縮小して表示された前記第１の画面内の前記特定のボタンの押下操作に応答して前記第２の画面をポップアップ表示するにあたって、前記第１の変倍率よりも大きい第２の変倍率に対応する大きさで前記第２の画面を生成するとともに、前記特定のボタン内に設けられた文字領域であって前記特定のボタンに関する文字列を表示する文字領域と前記第２の画面とが重ならないように前記第２の画面を配置するステップと、
を備えることを特徴とする表示制御方法。
【請求項１６】
コンピュータに、
ａ）第１の画面を表示することが可能な表示手段であって、前記第１の画面内に配置された特定のボタンの押下操作に応答して、前記特定のボタンに対応する第２の画面をポップアップ表示することが可能な表示手段において、ユーザによる縮小操作に応答して、前記第１の画面を第１の変倍率で縮小して表示するステップと、
ｂ）縮小して表示された前記第１の画面内の前記特定のボタンの押下操作に応答して前記第２の画面をポップアップ表示するにあたって、前記第１の変倍率よりも大きい第２の変倍率に対応する大きさで前記第２の画面を生成するとともに、前記特定のボタン内に設けられた文字領域であって前記特定のボタンに関する文字列を表示する文字領域と前記第２の画面とが重ならないように前記第２の画面を配置するステップと、
を実行させるためのプログラム。
【発明の詳細な説明】
【技術分野】
【０００１】
本発明は、各種画面を表示する表示装置、およびそれに関連する技術に関する。
【背景技術】
【０００２】
ユーザによる縮小操作に応答して、表示装置の表示手段に表示されている画面を縮小する技術が存在する。
【０００３】
たとえば、特許文献１においては、表示手段を横長の状態から縦長の状態へと変更（回転）させる操作に応答して、当該表示手段に表示されている画面を縮小して表示すること、が示されている。
【０００４】
また、表示装置においては、第１の画面内に設けられた特定のボタンの押下操作に応答して、当該特定のボタンに対応する第２の画面がポップアップ表示されることがある。
【先行技術文献】
【特許文献】
【０００５】
【特許文献１】特開２０１４−４８７３５号公報
【発明の概要】
【発明が解決しようとする課題】
【０００６】
ところで、縮小して表示された第１の画面において受け付けられた当該特定のボタンの押下操作に応答して第２の画面をポップアップ表示するにあたって、当該第１の画面に対する変倍率（縮小操作前の画面に対する縮小操作後の画面の比率）と同じ変倍率で第２の画面を縮小すること、が考えられる。
【０００７】
しかしながら、第１の画面に対する変倍率と同じ変倍率で第２の画面が縮小されて表示される場合、次のような問題が生じ得る。
【０００８】
たとえば、第１の画面に対する変倍率と同じ変倍率で第２の画面が縮小された結果、第２の画面内に設けられたボタンが非常に小さくなり、ユーザが第２の画面内のボタンを押下し難い、という問題が生じ得る。また、第２の画面内の文字が非常に小さくなり、当該第２の画面内の文字の視認性が低下する、という問題も生じ得る。
【０００９】
このように、第１の画面に対する変倍率と同じ変倍率で第２の画面が縮小して表示される場合、ユーザの操作性が低下する恐れがある。
【００１０】
そこで、本願発明は、ユーザの操作性の低下を抑制することが可能な技術を提供することを課題とする。
【課題を解決するための手段】
【００１１】
上記課題を解決すべく、請求項１の発明は、表示装置であって、第１の画面を表示するとともに、前記第１の画面内に配置された特定のボタンの押下操作に応答して、前記特定のボタンに対応する第２の画面をポップアップ表示する表示手段と、ユーザによる縮小操作に応答して、前記第１の画面を第１の変倍率で縮小して前記表示手段に表示する表示制御手段と、を備え、前記表示制御手段は、縮小して表示された前記第１の画面内の前記特定のボタンの押下操作に応答して前記第２の画面をポップアップ表示するにあたって、前記第１の変倍率よりも大きい第２の変倍率に対応する大きさで前記第２の画面を生成するとともに、前記特定のボタン内に設けられた文字領域であって前記特定のボタンに関する文字列を表示する文字領域と前記第２の画面とが重ならないように前記第２の画面を配置することを特徴とする。
【００１２】
請求項２の発明は、請求項１の発明に係る表示装置において、前記第１の画面は、前記特定のボタンを含む複数のボタンを有し、前記表示制御手段は、縮小して表示された前記第１の画面内の前記特定のボタンの押下操作に応答して前記第２の画面をポップアップ表示するにあたって、前記第２の画面と前記複数のボタンのうちの前記特定のボタンとを関連付ける表示処理である関連付け表示処理を実行することを特徴とする。
【００１３】
請求項３の発明は、請求項２の発明に係る表示装置において、前記関連付け表示処理は、前記第２の画面と前記特定のボタンとが接するように前記第２の画面が配置される場合において前記第２の画面と前記特定のボタンとの境界線を非表示化する処理であることを特徴とする。
【００１４】
請求項４の発明は、請求項２の発明に係る表示装置において、前記関連付け表示処理は、前記特定のボタンの背景を前記第２の画面の背景と同一の色を用いて表示し、且つ、前記複数のボタンのうち、前記特定のボタン以外のボタンの背景を前記第２の画面の背景とは異なる色を用いて表示する処理であることを特徴とする。
【００１５】
請求項５の発明は、請求項１から請求項４のいずれかの発明に係る表示装置において、前記表示制御手段は、縮小して表示された前記第１の画面内の前記特定のボタンの押下操作に応答して前記第２の画面をポップアップ表示するにあたって、前記第１の画面の縮小に伴って縮小された前記特定のボタンを、前記第２の変倍率に対応する大きさで生成された前記第２の画面と前記特定のボタン内の文字領域とが重ならないように拡大して表示することを特徴とする。
【００１６】
請求項６の発明は、請求項１から請求項５のいずれかの発明に係る表示装置において、前記表示制御手段は、前記縮小操作後の前記表示手段において前記第２の画面を配置することが許容される配置許容領域内に前記第２の画面がその縦横比を変更せずに収まる大きさに対応する変倍率を、前記第２の変倍率として算出することを特徴とする。
【００１７】
請求項７の発明は、請求項６の発明に係る表示装置において、前記第２の画面の前記配置許容領域は、縮小して表示された前記第１の画面の幅と同じ幅を有することを特徴とする。
【００１８】
請求項８の発明は、請求項６または請求項７の発明に係る表示装置において、前記第２の画面の前記配置許容領域は、前記縮小操作後の前記表示手段の表示領域において前記特定のボタンの上端部よりも上方に存在することを特徴とする。
【００１９】
請求項９の発明は、請求項６または請求項７の発明に係る表示装置において、前記第２の画面の前記配置許容領域は、前記縮小操作後の前記表示手段の表示領域において前記特定のボタンの下端部よりも下方に存在することを特徴とする。
【００２０】
請求項１０の発明は、請求項１から請求項９のいずれかの発明に係る表示装置において、前記表示制御手段は、前記第２の画面の元の大きさであって縮小して表示される前の前記第１の画面にてポップアップ表示される前記第２の画面の大きさに対応する変倍率以下の変倍率を、前記第２の変倍率として算出することを特徴とする。
【００２１】
請求項１１の発明は、請求項１から請求項１０のいずれかの発明に係る表示装置において、前記表示装置には、前記表示装置とは別の機種の表示装置に設けられているハードウエアキーが設けられておらず、前記表示手段は、前記ハードウエアキーの代わりに、前記ハードウエアキーに対応する画像であるハードウエアキー画像を前記第１の画面に表示し、前記表示制御手段は、前記第２の画面が前記特定のボタン内の文字領域のみならず前記ハードウエアキー画像にも重ならないように前記第２の画面を配置することを特徴とする。
【００２２】
請求項１２の発明は、請求項１から請求項１１のいずれかの発明に係る表示装置において、前記表示手段は、矩形形状を有し、前記縮小操作は、前記表示手段を横長の状態から縦長の状態に変更する操作であることを特徴とする。
【００２３】
請求項１３の発明は、請求項１から請求項１１のいずれかの発明に係る表示装置において、前記縮小操作は、前記表示手段に表示された前記第１の画面に対するピンチイン操作であることを特徴とする。
【００２４】
請求項１４の発明は、請求項１から請求項１３のいずれかの発明に係る表示装置において、前記表示手段は、前記第２の画面内に配置された一のボタンの押下操作に応答して、前記一のボタンに対応する第３の画面をポップアップ表示し、前記表示制御手段は、前記縮小操作後に表示された前記第２の画面内の前記一のボタンの押下操作に応答して前記第３の画面をポップアップ表示するにあたって、前記第１の変倍率よりも大きい第３の変倍率に対応する大きさで前記第３の画面を生成するとともに、前記一のボタンと前記第３の画面とが重ならないように前記第３の画面を配置することを特徴とする。
【００２５】
請求項１５の発明は、表示制御方法であって、ａ）第１の画面を表示することが可能な表示手段であって、前記第１の画面内に配置された特定のボタンの押下操作に応答して、前記特定のボタンに対応する第２の画面をポップアップ表示することが可能な表示手段において、ユーザによる縮小操作に応答して、前記第１の画面を第１の変倍率で縮小して表示するステップと、ｂ）縮小して表示された前記第１の画面内の前記特定のボタンの押下操作に応答して前記第２の画面をポップアップ表示するにあたって、前記第１の変倍率よりも大きい第２の変倍率に対応する大きさで前記第２の画面を生成するとともに、前記特定のボタン内に設けられた文字領域であって前記特定のボタンに関する文字列を表示する文字領域と前記第２の画面とが重ならないように前記第２の画面を配置するステップと、を備えることを特徴とする。
【００２６】
請求項１６の発明は、コンピュータに、ａ）第１の画面を表示することが可能な表示手段であって、前記第１の画面内に配置された特定のボタンの押下操作に応答して、前記特定のボタンに対応する第２の画面をポップアップ表示することが可能な表示手段において、ユーザによる縮小操作に応答して、前記第１の画面を第１の変倍率で縮小して表示するステップと、ｂ）縮小して表示された前記第１の画面内の前記特定のボタンの押下操作に応答して前記第２の画面をポップアップ表示するにあたって、前記第１の変倍率よりも大きい第２の変倍率に対応する大きさで前記第２の画面を生成するとともに、前記特定のボタン内に設けられた文字領域であって前記特定のボタンに関する文字列を表示する文字領域と前記第２の画面とが重ならないように前記第２の画面を配置するステップと、を実行させるためのプログラムであることを特徴とする。
【発明の効果】
【００２７】
請求項１から請求項１６に記載の発明によれば、縮小して表示された第１の画面内の特定のボタンの押下操作に応答して第２の画面をポップアップ表示するにあたって、当該第１の画面に対する変倍率よりも大きい変倍率に対応する大きさで当該第２の画面が生成される。したがって、ユーザの操作性の低下を抑制することが可能である。
【００２８】
特に、請求項２に記載の発明によれば、縮小して表示された第１の画面内の特定のボタンの押下操作に応答して第２の画面をポップアップ表示するにあたって、当該第２の画面と第１の画面内の複数のボタンのうちの当該特定のボタンとを関連付ける表示処理が実行される。その結果、ユーザは、縮小して表示された第１の画面内の複数のボタンのうちのいずれのボタンが第２の画面に対応するボタンであるか、がより明確に判る。したがって、第２の画面と当該第２の画面に対応するボタンとの関連性をより明確化することが可能である。
【００２９】
また特に、請求項５に記載の発明によれば、第１の画面の縮小に伴って縮小された特定のボタンが、第２の変倍率に対応する大きさで生成された第２の画面と当該特定のボタン内の文字領域とが重ならないように拡大されて表示される。したがって、特定のボタン内に表示される文字列の視認性の低下を抑制することが可能である。
【図面の簡単な説明】
【００３０】
【図１】画像処理装置（ＭＦＰ）の外観を示す図である。
【図２】ＭＦＰの機能ブロックを示す図である。
【図３】操作パネル部の回転操作（縮小操作）の前後における操作パネル部（タッチパネル）の状態を示す図である。
【図４】縮小操作（操作パネル部の回転操作）の前後における設定画面の表示処理を示す図である。
【図５】縮小操作前のベース画面を示す図である。
【図６】縮小操作前にポップアップ表示される設定画面を示す図である。
【図７】縮小操作後のベース画面を示す図である。
【図８】縮小操作後にポップアップ表示される設定画面を示す図である。
【図９】縮小操作後におけるＭＦＰの動作を示すフローチャートである。
【図１０】縮小操作後の設定画面の表示処理のサブルーチン処理を示す図である。
【図１１】第２実施形態に係る縮小操作後にポップアップ表示される設定画面を示す図である。
【図１２】第３実施形態に係る縮小操作前のベース画面を示す図である。
【図１３】第３実施形態に係る縮小操作前にポップアップ表示される設定画面を示す図である。
【図１４】縮小操作前にポップアップ表示される詳細設定画面を示す図である。
【図１５】第３実施形態に係る縮小操作後にポップアップ表示される設定画面を示す図である。
【図１６】縮小操作後にポップアップ表示される詳細設定画面を示す図である。
【図１７】ベース画面の移動量等を示す図である。
【図１８】移動後のベース画面を示す図である。
【図１９】変形例に係る縮小操作後にポップアップ表示される設定画面を示す図である。
【図２０】設定画面の配置許容領域の特定処理のサブルーチン処理を示す図である。
【図２１】変形例に係る関連付け表示処理が実行された表示画面を示す図である。
【図２２】ハードウエアキー領域を含むベース画面を示す図である。
【図２３】変形例に係る縮小操作後のベース画面を示す図である。
【図２４】変形例に係る縮小操作後にポップアップ表示される設定画面を示す図である。
【図２５】ピンチイン操作（縮小操作）が行われている様子を示す図である。
【図２６】ピンチイン操作（縮小操作）後のベース画面を示す図である。
【図２７】ピンチイン操作（縮小操作）後にポップアップ表示される設定画面を示す図である。
【図２８】変形例に係る縮小操作後にポップアップ表示される設定画面を示す図である。
【図２９】変形例に係る関連付け表示処理が実行された表示画面を示す図である。
【発明を実施するための形態】
【００３１】
以下、本発明の実施形態を図面に基づいて説明する。
【００３２】
＜１．第１実施形態＞
＜１−１．構成概要＞
図１は、ＭＦＰ（マルチ・ファンクション・ペリフェラル（Multi-Functional Peripheral））１０の外観を示す図である。なお、ここでは、表示装置（表示制御装置）としてＭＦＰ１０を例示する。
【００３３】
図２は、ＭＦＰ１０の機能ブロックを示す図である。
【００３４】
ＭＦＰ１０は、スキャン機能、コピー機能、ファクシミリ機能およびボックス格納機能などを備える装置（複合機とも称する）である。具体的には、ＭＦＰ１０は、図２の機能ブロック図に示すように、画像読取部２、印刷出力部３、通信部４、格納部５、操作部６およびコントローラ（制御部）９等を備えており、これらの各部を複合的に動作させることによって、各種の機能を実現する。なお、ＭＦＰ１０は、画像形成装置あるいは画像処理装置などとも称される。
【００３５】
画像読取部２は、ＭＦＰ１０の所定の位置に載置された原稿を光学的に読み取って（すなわちスキャンして）、当該原稿の画像データ（原稿画像あるいはスキャン画像とも称する）を生成する処理部である。
【００３６】
印刷出力部３は、印刷対象に関するデータ（印刷対象データ）に基づいて紙などの各種の媒体に画像を印刷出力する出力部である。
【００３７】
通信部４は、公衆回線等を介したファクシミリ通信を行うことが可能な処理部である。さらに、通信部４は、ネットワークを介したネットワーク通信を行うことも可能である。このネットワーク通信では、たとえば、ＴＣＰ／ＩＰ（Transmission Control Protocol / Internet Protocol）等の各種のプロトコルが利用される。当該ネットワーク通信を利用することによって、ＭＦＰ１０は、所望の相手先との間で各種のデータを授受することが可能である。通信部４は、各種データを送信する送信部４ａと各種データを受信する受信部４ｂとを有する。
【００３８】
格納部５は、ハードディスクドライブ（ＨＤＤ）および半導体メモリ等の記憶装置で構成される。
【００３９】
操作部６は、ＭＦＰ１０に対する操作入力を受け付ける操作入力部６ａと、各種情報の表示出力を行う表示部６ｂとを備えている。
【００４０】
このＭＦＰ１０においては、略板状の操作パネル部６ｃ（図１参照）が設けられている。また、操作パネル部６ｃは、その正面側にタッチパネル２５（図１参照）を有している。タッチパネル２５は、操作入力部６ａの一部としても機能するとともに、表示部６ｂの一部としても機能する。タッチパネル２５は、液晶表示パネルに各種センサ等が埋め込まれて構成され、各種情報を表示するとともに操作ユーザからの各種の操作入力を受け付けることが可能である。また、タッチパネル２５は、矩形形状（略矩形形状）を有する。
【００４１】
このＭＦＰ１０においては、ユーザの携帯端末との連携時における画面構成等を考慮して、操作パネル部６ｃの配置状態を、横長の状態（横向きの状態）から縦長の状態（縦向きの状態）へと切り替えることが可能である。具体的には、図３に示されるように、横長状態の操作パネル部６ｃが操作パネル部６ｃの支持部（不図示）を中心に時計回りに９０度回転されることによって、当該操作パネル部６ｃの配置状態が横長状態から縦長状態へと切り替えられる。逆に、縦長状態の操作パネル部６ｃが操作パネル部６ｃの支持部を中心に反時計回りに９０度回転されることによって、当該操作パネル部６ｃの配置状態が縦長状態から横長状態へと切り替えられる。
【００４２】
コントローラ９は、ＭＦＰ１０に内蔵され、ＭＦＰ１０を統括的に制御する制御装置である。コントローラ９は、ＣＰＵ（Central Processing Unit）（マイクロプロセッサあるいはコンピュータプロセッサなどとも称される）および各種の半導体メモリ（ＲＡＭおよびＲＯＭ）等を備えるコンピュータシステムとして構成される。コントローラ９は、ＣＰＵにおいて、ＲＯＭ（例えば、ＥＥＰＲＯＭ（登録商標））内に格納されている所定のソフトウエアプログラム（以下、単にプログラムとも称する）を実行することによって、各種の処理部を実現する。なお、当該プログラム（詳細にはプログラムモジュール群）は、ＵＳＢメモリなどの可搬性の記録媒体に記録され、当該記録媒体から読み出されてＭＦＰ１０にインストールされるようにしてもよい。あるいは、当該プログラムは、ネットワーク等を経由してダウンロードされてＭＦＰ１０にインストールされるようにしてもよい。
【００４３】
具体的には、図２に示されるように、コントローラ９は、上記のプログラムの実行により、通信制御部１１と入力制御部１２と表示制御部１３と判定部１４とを含む各種の処理部を実現する。
【００４４】
通信制御部１１は、他の装置との間の通信動作を通信部４等と協働して制御する処理部である。
【００４５】
入力制御部１２は、操作入力部６ａ（タッチパネル２５等）に対する入力動作を制御する制御部である。
【００４６】
表示制御部１３は、表示部６ｂ（タッチパネル２５等）における表示動作を制御する処理部である。
【００４７】
たとえば、表示制御部１３は、ベース画面２００を（横長状態）のタッチパネル２５に表示する（図５参照）。なお、ベース画面２００は、親画面などとも称される。表示制御部１３は、当該ベース画面２００内の特定の設定ボタン（２５２等）の押下操作に応答して、当該特定の設定ボタンに対応する設定画面３００（３０１）を（ベース画面２００よりも前面側（手前側）に）ポップアップ表示する（図６参照）。なお、当該設定画面３００は、子画面あるいはポップアップ画面などとも称される。
【００４８】
また、表示制御部１３は、ユーザによる縮小操作（ここでは、タッチパネル２５の回転操作（図３参照））に応答して、ベース画面２００を当該縮小操作に応じた変倍率Ｒ１（後述）で縮小して（縦長状態の）タッチパネル２５に表示する（図７参照）。
【００４９】
さらに、表示制御部１３は、縮小して表示されたベース画面２００内の特定の設定ボタンの押下操作に応答して、設定画面３００をポップアップ表示する（図８参照）。具体的には、縮小表示されたベース画面２００よりも前面側（手前側）に設定画面３００が表示（重畳表示）される。表示制御部１３は、設定画面３００のポップアップ表示にあたって、ベース画面２００に対する変倍率Ｒ１よりも大きい変倍率Ｒ２に対応する大きさで設定画面３００を生成するとともに、当該特定の設定ボタン内の文字領域と設定画面３００とが重ならないように当該設定画面３００を配置する。
【００５０】
判定部１４は、各種の判定処理を実行する処理部である。
【００５１】
なお、ここでは、主にコントローラ９のＣＰＵにてソフトウエアプログラムを実行することによって、上述の各種の動作が実行されているが、これに限定されず、ＭＦＰ１０（詳細には、コントローラ９の内部あるいは外部）にて設けられた専用ハードウエア等を用いて、上述の各種の動作が実行されるようにしてもよい。たとえば、通信制御部１１、入力制御部１２、表示制御部１３および判定部１４（図２）等の全部または一部が、１または複数の専用ハードウエアを用いて実現されてもよい。
【００５２】
＜１−２．動作＞
図４は、ユーザによる縮小操作（操作パネル部６ｃの回転操作）の前後における設定画面３００の表示処理を示す図である。
【００５３】
図４に示されるように、操作パネル部６ｃが横長状態から縦長状態へと回転されると、タッチパネル２５に表示されているベース画面２００もが同様に（時計回りに９０度）回転するとともに、当該ベース画面２００が変倍率Ｒ１で縮小されて表示される。このように縮小して表示されたベース画面２００において特定の設定ボタン（たとえば設定ボタン２５２）の押下操作が受け付けられると、当該設定ボタン２５２に対応する設定画面３００（３０１）がポップアップ表示される。ただし、当該設定画面３００（３０１）は、ベース画面２００に対する変倍率Ｒ１よりも大きな変倍率Ｒ２に対応する大きさで生成されるとともに、当該設定ボタン２５２に重ならないように配置される。なお、ここでは、操作パネル部６ｃ（タッチパネル２５）の回転操作が、タッチパネル２５に表示されている画面（ベース画面２００）の縮小操作として受け付けられる。
【００５４】
＜横長状態での画面表示について＞
まず、横長状態のタッチパネル２５において表示されるベース画面２００と、当該ベース画面２００内のボタン操作に応じてポップアップ表示される設定画面３００との表示処理について説明する。なお、ここでは、コピージョブの設定操作がユーザによって行われる状況を想定する。
【００５５】
図５は、横長状態のタッチパネル２５において表示されるベース画面２００（コピージョブに関する初期表示画面）を示す図である。横長状態のタッチパネル２５における表示態様は、横長表示モードあるいはランドスケープモードなどとも称される。
【００５６】
ユーザのログイン後にタッチパネル２５に表示されるトップメニュー画面（不図示）等において、コピージョブに関する初期表示画面の呼出指示（「コピー」ボタンの押下操作等）が受け付けられると、当該初期表示画面がタッチパネル２５（ベース画面２００（２０１））に表示される。
【００５７】
横長状態のタッチパネル２５においては、当該タッチパネル２５の表示領域の全面にベース画面２００が表示される。具体的には、当該ベース画面２００の横方向（水平方向）の画素数サイズ（横方向画素数サイズ）Ｗ１は、横長状態のタッチパネル２５の横方向画素数サイズＷ０と同じサイズを有する。また、ベース画面２００の縦方向（垂直方向）の画素数サイズ（縦方向画素数サイズ）Ｈ１は、横長状態のタッチパネル２５の縦方向画素数サイズＨ０と同じサイズを有する。また、ここでは、コピージョブに関する初期表示画面が、ベース画面２００の全面に表示される。
【００５８】
図５に示されるように、当該ベース画面２０１には、複数の設定ボタン２５１〜２５７（設定ボタン群）が横方向に一列に設けられている。
【００５９】
当該複数の設定ボタン２５１〜２５７は、コピージョブの各設定項目（「原稿画質」〜「仕上がり」）に関する設定画面（設定用画面）３００の呼出指示をそれぞれ受け付ける呼出ボタンとして機能する。たとえば、ベース画面２０１においてカラー設定ボタン２５２が押下されると、当該カラー設定ボタン２５２に対応する設定項目「カラー」に関する設定画面３００（カラー設定画面３０１）が、ベース画面２０１に重畳してポップアップ表示される（図６参照）。なお、図６は、ベース画面２００（縮小前のベース画面２００）にてポップアップ表示される設定画面３００（縮小操作前に表示される元の設定画面３００）（カラー設定画面３０１）を示す図である。
【００６０】
このようにポップアップ表示された設定画面３００にて設定値の選択操作が受け付けられると、当該設定画面３００に対応する設定項目に関する設定内容（設定値）が決定される。たとえば、カラー設定画面３０１（図６）にて「オートカラー」ボタンが押下（選択）されると、カラー設定画面３０１に対応する設定項目「カラー」の設定内容が設定値「オートカラー」に決定される。
【００６１】
また、各設定ボタン２５１〜２５７内には、各設定ボタン２５１〜２５７に関する文字列を表示する文字領域２７１〜２７７（図５参照）が設けられている。当該文字領域２７１〜２７７には、各設定ボタン２５１〜２５７に対応する設定項目に関する現在の設定内容が表示される。たとえば、カラー設定ボタン２５２内の文字領域２７２には、カラー設定ボタン２５２に対応する設定項目「カラー」に関する現在の設定内容（たとえば、デフォルトの設定内容（「オートカラー」））が表示される。
【００６２】
＜縦長状態での画面表示について＞
次に、縦長状態のタッチパネル２５において表示されるベース画面２００と、当該ベース画面２００内のボタン操作に応じてポップアップ表示される設定画面３００との表示処理について説明する。
【００６３】
横長状態のタッチパネル２５にベース画面２０１（図５）が表示されている場合において、操作パネル部６ｃの回転操作（タッチパネル２５の表示画面の縮小操作）（図３参照）が受け付けられると、図９の動作が開始される。図９は、縮小操作後におけるＭＦＰ１０の動作を示すフローチャートである。
【００６４】
まず、ステップＳ１１においては、ＭＦＰ１０は、タッチパネル２５の表示画面の縮小操作に応答して、ベース画面２００（２０１）を縮小してタッチパネル２５に表示する（図７参照）。図７は、縦長状態のタッチパネル２５において表示されるベース画面２０１を示す図である。なお、縦長状態のタッチパネル２５における表示態様は、縦長表示モードあるいはポートレイトモードなどとも称される。
【００６５】
具体的には、ＭＦＰ１０は、操作パネル部６ｃ（タッチパネル２５）の回転に伴って、ベース画面２００をも回転させるとともに、ベース画面２００を配置することが許容される配置許容領域５００（図７）内に当該ベース画面２００を、その縦横比を変更せずに収まる最大限の大きさで表示する。ここでは、タッチパネル２５の表示領域全体が、縮小後のベース画面２００の配置許容領域５００として用いられる。
【００６６】
より具体的には、ベース画面２０１に対する変倍率Ｒ１が算出され、算出された変倍率Ｒ１でベース画面２０１が縮小されて配置許容領域５００内に表示される。
【００６７】
詳細には、まず、縮小前のベース画面２０１の縦方向画素数サイズＨ１（図５）に対する配置許容領域５００の縦方向画素数サイズＰ１（図７）の比率Ｒ４０（＝Ｐ１／Ｈ１）と、縮小前のベース画面２０１の横方向画素数サイズＷ１（図５）に対する配置許容領域５００の横方向画素数サイズＱ１（図７）の比率Ｒ５０（＝Ｑ１／Ｗ１）とのうち比較的小さい比率（ｍｉｎ（Ｒ４０，Ｒ５０））が、当該変倍率Ｒ１として算出される。ここでは、変倍率Ｒ５０（＝Ｑ１／Ｗ１）が、ベース画面２０１に対する変倍率Ｒ１として算出される。そして、ベース画面２０１（縮小操作前の元のベース画面２０１）が変倍率Ｒ１（＝Ｑ１／Ｗ１）で縮小される。縮小後のベース画面２０１の縦方向画素数サイズＨ３（図７）は、縮小前のベース画面２０１の縦方向画素数サイズ（ベース画面２０１の元の縦方向画素数サイズ）Ｈ１を変倍率Ｒ１（＝Ｑ１／Ｗ１）で縮小したサイズである。また、縮小後のベース画面２０１の横方向画素数サイズＷ３（図７）は、縮小前のベース画面２０１の横方向画素数サイズ（ベース画面２０１の元の横方向画素数サイズ）Ｗ１を変倍率Ｒ１で縮小したサイズである。なお、ベース画面２０１の縮小（変倍率Ｒ１での縮小）に伴って、当該ベース画面２０１内の表示要素（複数の設定ボタン２５１〜２５７および文字等）もが変倍率Ｒ１で縮小される。
【００６８】
そして、縮小されたベース画面２０１がタッチパネル２５（詳細には、ベース画面２００の配置許容領域５００内）に表示（描画）される（図７参照）。なお、ここでは、縮小後のベース画面２００は、当該配置許容領域５００（タッチパネル２５の表示領域全体）において、当該ベース画面２００の上端部よりも上方に余白領域を有するように配置される。ただし、これに限定されず、縮小後のベース画面２００は、当該配置許容領域５００内のいずれの位置に配置されてもよい。たとえば、配置許容領域５００の上端部にベース画面２００の上端部が接するように縮小後のベース画面２００が配置されてもよい。
【００６９】
その後、処理はステップＳ１１からステップＳ１２へと進む。
【００７０】
ステップＳ１２においては、縮小して表示されたベース画面２００において複数の設定ボタン２５１〜２５７のいずれかのボタンの押下操作が受け付けられたか、が判定される。たとえば、縮小表示されたベース画面２００においてカラー設定ボタン２５２（図７）の押下操作が受け付けられると、処理はステップＳ１２からステップＳ１３へと進む。なお、処理がステップＳ１２からステップＳ１５へと進む場合については、後述する。
【００７１】
ステップＳ１３においては、縮小して表示されたベース画面２００（２０１）内の特定の設定ボタン（ここではカラー設定ボタン２５２）の押下操作に応答して、当該特定の設定ボタン（２５２）に対応する設定画面３００（カラー設定画面３０１）の表示処理を実行する。
【００７２】
具体的には、ＭＦＰ１０は、カラー設定画面３０１をポップアップ表示するにあたって、図１０の動作を実行する。図１０は、縮小操作後における設定画面３００の表示処理（ステップＳ１３）のサブルーチン処理を示す図である。
【００７３】
まず、ステップＳ２１においては、ＭＦＰ１０は、ポップアップ表示される設定画面３００（ここではカラー設定画面３０１）の配置許容領域５８０（図７）を特定する。配置許容領域５８０は、縮小操作後のタッチパネル２５（縦長状態のタッチパネル２５）にてカラー設定画面３０１を配置することが許容される領域である。ここでは、当該設定画面３００の配置許容領域５８０は、縮小後のベース画面２００の配置許容領域５００の幅（縮小されたベース画面２００の幅）と同じ幅を有する。
【００７４】
具体的には、縮小後のベース画面２０１の配置許容領域５００（ここでは、タッチパネル２５の表示領域全体）のうち、カラー設定ボタン２５２（設定ボタン群）の配置領域を除く領域が、カラー設定画面３０１の配置許容領域５８０として特定される。ここでは、縮小後のベース画面２０１の配置許容領域５００（縮小操作後のタッチパネル２５の表示領域全体）のうち当該設定ボタン２５２の上端部よりも上方（上側）に存在する領域が、カラー設定画面３０１の配置許容領域５８０として特定される。
【００７５】
そして、処理はステップＳ２１からステップＳ２２へと進み、ＭＦＰ１０は、設定画面３００（カラー設定画面３０１）に対する変倍率Ｒ２を算出する。
【００７６】
具体的には、カラー設定画面３０１の配置許容領域５８０（図７）内にカラー設定画面３０１がその縦横比を変更せずに収まる大きさに対応する変倍率が、当該カラー設定画面３０１に対する変倍率Ｒ２として算出される。
【００７７】
より具体的には、まず、当該配置許容領域５８０内にカラー設定画面３０１がその縦横比を変更せずに収まる最大限の大きさに対応する最大変倍率Ｒ１０が算出される。換言すれば、縮小前のカラー設定画面３０１の縦方向画素数サイズＨ２（図６）に対する配置許容領域５８０の縦方向画素数サイズＰ２（図７）の比率Ｒ２０（＝Ｐ２／Ｈ２）と、縮小前のカラー設定画面３０１の横方向画素数サイズＷ２（図６）に対する配置許容領域５８０の横方向画素数サイズＱ２（図７）の比率Ｒ３０（＝Ｑ２／Ｗ２）とのうち比較的小さい比率（ｍｉｎ（Ｒ２０，Ｒ３０））が、最大変倍率Ｒ１０として算出される。ここでは、当該比率Ｒ２０（＝Ｐ２／Ｈ２）が、最大変倍率Ｒ１０として算出される。なお、ここでは、配置許容領域５８０の縦方向画素数サイズＰ２は、縮小前のカラー設定画面３０１の縦方向画素数サイズＨ２よりも小さく、比率Ｒ２０（＝Ｐ２／Ｈ２）は、「１００％」よりも小さい。
【００７８】
そして、ベース画面２００に対する変倍率Ｒ１よりも大きく且つ最大変倍率Ｒ１０以下の変倍率が、カラー設定画面３０１に対する変倍率Ｒ２（Ｒ１＜Ｒ２≦Ｒ１０）として算出される。ただし、当該変倍率Ｒ２の最大値は、縮小表示前のベース画面２００にてポップアップ表示される設定画面３００の大きさ（設定画面３００の元の大きさ）に対応する変倍率（すなわち「１００％」）である。換言すれば、設定画面３００は、縮小表示前のベース画面２００にてポップアップ表示される設定画面３００の大きさ（画素サイズ）以下の大きさで生成される。
【００７９】
詳細には、最大変倍率Ｒ１０と変倍率「１００％」とのうち比較的小さい変倍率（最大変倍率Ｒ１０と変倍率「１００％」とのうち小さい方の変倍率）が、設定画面３００に対する変倍率Ｒ２として算出される。これによれば、設定画面３００（カラー設定画面３０１）におけるジャギー（元の設定画面３００よりも大きく変倍（拡大）することに起因するジャギー）の発生を回避しつつ、なるべく大きく設定画面３００（３０１）を表示することが可能である。ただし、これに限定されず、常に最大変倍率Ｒ１０が変倍率Ｒ２として算出されてもよい。換言すれば、「１００％」よりも大きい変倍率が設定画面３００に対する変倍率Ｒ２として算出されてもよい。
【００８０】
ここでは、算出された最大変倍率Ｒ１０（＝Ｐ２／Ｈ２）が「１００％」よりも小さいため、当該最大変倍率Ｒ１０が、カラー設定画面３０１に対する変倍率Ｒ２として算出される。なお、最大変倍率Ｒ１０が「１００％」よりも小さい場合に、当該最大変倍率Ｒ１０よりも小さい変倍率（ただし、ベース画面２００に対する変倍率Ｒ１よりも大きい変倍率）が、カラー設定画面３０１に対する変倍率Ｒ２として算出されてもよい。
【００８１】
その後、処理はステップＳ２２からステップＳ２３へと進み、ＭＦＰ１０は、算出された変倍率Ｒ２に対応する大きさで設定画面３００（カラー設定画面３０１）を生成する。具体的には、算出された変倍率Ｒ２で設定画面３００が変倍（ここでは縮小）される。ここでは、算出された変倍率Ｒ２（＜１００％）で設定画面３００が縮小される。換言すれば、ポップアップ表示される設定画面３００（カラー設定画面３０１）が、ベース画面２００（２０１）の縮小度合いよりも小さい度合いで縮小される。縮小後の設定画面３０１の縦方向画素数サイズＨ４（図８）は、縮小前のベース画面２０１にてポップアップ表示される設定画面３０１の縦方向画素数サイズ（設定画面３０１の元の縦方向画素数サイズ）Ｈ２を変倍率Ｒ２（＝Ｐ２／Ｈ２）で縮小したサイズである。また、縮小後の設定画面３０１の横方向画素数サイズＷ４（図８）は、縮小前の設定画面３０１の横方向画素数サイズ（設定画面３０１の元の横方向画素数サイズ）Ｗ２を変倍率Ｒ２で縮小したサイズである。
【００８２】
ステップＳ２３にて設定画面３００（カラー設定画面３０１）が生成されると、処理はステップＳ２３からステップＳ２４へと進み、ＭＦＰ１０は、生成されたカラー設定画面３０１を、当該カラー設定画面３０１の配置許容領域５８０内に配置して表示（ポップアップ表示）する（図８参照）。具体的には、カラー設定画面３０１の下端部（下辺）が当該配置許容領域５８０の下端部（すなわち、設定ボタン２５２の上端部）と接するように、生成されたカラー設定画面３０１が配置されてポップアップ表示される。
【００８３】
そして、処理はステップＳ２４からステップＳ２５へと進む。
【００８４】
ステップＳ２５においては、ＭＦＰ１０は、ポップアップ表示される設定画面３００（カラー設定画面３０１）とベース画面２００内の複数の設定ボタン２５１〜２５７のうちの特定の設定ボタン（カラー設定ボタン２５２）とを関連付ける表示処理（関連付け表示処理）を実行する。具体的には、互いに接するように配置されたカラー設定画面３０１と設定ボタン２５２との境界線が非表示化される（図８参照）。より具体的には、カラー設定画面３０１の下辺のうちカラー設定ボタン２５２の上辺と接する部分と当該カラー設定ボタン２５２の上辺とが非表示化される。
【００８５】
そして、図１０の動作（図９のステップＳ１３のサブルーチン処理）は終了し、処理はステップＳ１３（図９）からステップＳ１４へと進む。
【００８６】
その後、ポップアップ表示されたカラー設定画面３０１において設定値の選択操作が受け付けられる（ステップＳ１４）と、処理は再びステップＳ１２へと戻る。
【００８７】
さらにその後、「スタート」ボタン（不図示）の押下操作が受け付けられると、処理はステップＳ１２からステップＳ１５を経てステップＳ１６へと進む。ステップＳ１６においては、ＭＦＰ１０は、ユーザによって設定された設定内容に応じたコピージョブを実行する。
【００８８】
なお、カラー設定ボタン２５２以外の設定ボタン２５１，２５３〜２５７の押下操作が受け付けられた場合、処理はステップＳ１２から再びステップＳ１３へと進み、上述と同様にして、押下された設定ボタンに対応する設定画面３００の表示処理（ステップＳ２１〜Ｓ２５）が実行される。
【００８９】
以上のように、第１実施形態では、縮小して表示されたベース画面２０１内の特定の設定ボタン（カラー設定ボタン２５２）の押下操作に応答して設定画面３００（３０１）（図８）をポップアップ表示するにあたって、ベース画面２０１に対する変倍率Ｒ１よりも大きい変倍率Ｒ２に対応する大きさで当該設定画面３０１が生成される（ステップＳ２３）。その結果、縮小表示後のベース画面２００にてポップアップ表示される設定画面３００内のボタンを押下し難い、という問題の発生が抑制される。また、縮小表示後のベース画面２０１にてポップアップ表示される設定画面３００内の文字の視認性の低下が抑制される。したがって、ユーザの操作性の低下を抑制することが可能である。
【００９０】
また、第１実施形態では、カラー設定画面３０１と遷移元の画面（ベース画面２０１）内のカラー設定ボタン２５２（詳細には、設定ボタン２５２内の文字領域２７２）とが重ならないように当該カラー設定画面３０１が配置される（ステップＳ２４）（図８参照）。そのため、ユーザは、ベース画面２０１に対する変倍率Ｒ１よりも大きい変倍率Ｒ２に対応する大きさのカラー設定画面３０１がポップアップ表示された場合であっても、当該カラー設定ボタン２５２内の文字列を視認することが可能である。特に、設定ボタンに対応する設定項目（ここでは「カラー」）に関する現在の設定内容が当該設定ボタン内の文字領域に表示される（図８参照）場合には、ユーザは、設定操作中の設定項目に関する現在の設定内容を確認しつつ、ポップアップ表示された設定画面３００にて当該設定項目に関する設定を行うことが可能である。
【００９１】
さらに、第１実施形態では、縮小して表示されたベース画面２０１内の複数の設定ボタン２５１〜２５７のうちのカラー設定ボタン２５２とカラー設定画面３０１とを関連付ける関連付け表示処理が実行される（ステップＳ２５）。具体的には、カラー設定画面３０１とカラー設定ボタン２５２とが接するようにカラー設定画面３０１が配置される場合、当該カラー設定ボタン２５２とカラー設定画面３０１との境界線が非表示化される（図８参照）。その結果、ユーザは、縮小して表示されたベース画面２０１内の複数のボタン２５１〜２５７のうちのいずれのボタンがカラー設定画面３０１に対応する呼出ボタンであるか、がより明確に判る。したがって、ポップアップ表示される設定画面３００と当該設定画面３００に対応する呼出ボタンとの関連性をより明確化することが可能である。
【００９２】
＜２．第２実施形態＞
第２実施形態は、第１実施形態の変形例である。以下では、第１実施形態との相違点を中心に説明する。
【００９３】
この第２実施形態では、上記第１実施形態の動作に加えて、縮小操作後にポップアップ表示される設定画面３００（たとえばカラー設定画面３０１）に対応する設定ボタン（カラー設定ボタン２５２）の拡大処理が実行される。
【００９４】
この第２実施形態では、上記第１実施形態の動作に加えて、縮小操作後にポップアップ表示される設定画面３００（たとえばカラー設定画面３０１）に対応する設定ボタン（カラー設定ボタン２５２）の拡大処理が実行される。
【００９５】
この第２実施形態においても、第１実施形態と同様に、図９および図１０の動作が実行される。ただし、この第２実施形態では、図１０のステップＳ２４とステップＳ２５との間において、ＭＦＰ１０は、当該特定の設定ボタン（カラー設定ボタン２５２）の拡大処理（縮小処理後における拡大処理）を実行する。
【００９６】
具体的には、ステップＳ２４の後において、ベース画面２００の縮小に伴って縮小されたカラー設定ボタン２５２が、変倍率Ｒ２に対応する大きさで生成されたカラー設定画面３０１と当該カラー設定ボタン２５２内の文字領域２７２とが重ならないように拡大されて表示される（図１１参照）。より具体的には、変倍率Ｒ２で変倍（縮小）されて配置許容領域５８０内においてカラー設定ボタン２５２と接するように配置されたカラー設定画面３０１の下端部（下辺）にカラー設定ボタン２５２内の文字領域２７２の上端部（上辺）が接する大きさにまで当該カラー設定ボタン２５２が拡大されて再描画される。なお、カラー設定ボタン２５２は、その縦横比を変更せずに拡大される。
【００９７】
これによれば、ベース画面２０１の縮小（変倍率Ｒ１での縮小）に伴って当該変倍率Ｒ１で縮小されたカラー設定ボタン２５２（ベース画面２０１内のカラー設定ボタン２５２）が拡大されて表示される。したがって、縮小操作後にポップアップ表示される設定画面３００（ここではカラー設定画面３０１）に対応する特定の設定ボタン（カラー設定ボタン２５２）内に表示される文字列（現在の設定内容）の視認性の低下を抑制することが可能である。
【００９８】
また、ベース画面２０１内の複数の設定ボタン２５１〜２５２のうち、ポップアップ表示されるカラー設定画面３０１に対応する設定ボタン（カラー設定ボタン２５２）のみが、他の設定ボタン（２５１，２５３〜２５７）よりも大きく表示される。その結果、ユーザは、縮小して表示されたベース画面２０１内の複数の設定ボタン２５１〜２５７のうちのいずれのボタンがカラー設定画面３０１に対応する呼出ボタンであるか、がより明確に判る。したがって、ポップアップ表示される設定画面３００と当該設定画面３００に対応する呼出ボタンとの関連性をより明確化することも可能である。
【００９９】
＜３．第３実施形態＞
第３実施形態は、第１実施形態の変形例である。以下では、第１実施形態との相違点を中心に説明する。
【０１００】
この第３実施形態では、上記第１実施形態と同様にしてベース画面２００においてポップアップ画面（設定画面３００）が表示された後に、さらに別のポップアップ画面（後述する詳細設定画面４００（図１４等参照））が表示される動作が例示される。
【０１０１】
まず、タッチパネル２５の回転操作（縮小操作）が受け付けられる前の動作について説明する。なお、ここでは、スキャンジョブの設定操作がユーザによって行われる状況を想定する。
【０１０２】
上述したように、タッチパネル２５の回転操作（縮小操作）が受け付けられる前においては、タッチパネル２５は横長状態を有する。図１２は、横長状態のタッチパネル２５において表示されるベース画面２０２（スキャンジョブに関する初期表示画面）を示す図である。
【０１０３】
当該ベース画面２０２には、複数の設定ボタン２６１〜２６６が設けられている。当該複数の設定ボタン２６１〜２６６は、スキャンジョブの各設定項目（「片面／両面」〜「文書名／件名」）に関する設定画面３００の呼出指示をそれぞれ受け付ける呼出ボタンとして機能する。当該ベース画面２０２において、たとえば読込みサイズ設定ボタン２６５が押下されると、読込みサイズ設定ボタン２６５に対応する設定項目「読込みサイズ」に関する設定画面３００（読込みサイズ設定画面３０２）がポップアップ表示される（図１３参照）。
【０１０４】
図１３に示されるように、この読込みサイズ設定画面３０２には、複数の詳細設定ボタン３５１〜３５５が設けられている。当該複数の詳細設定ボタン３５１〜３５５は、設定項目「読込みサイズ」の用紙サイズ区分（「Ａ系・Ｂ系」〜「不定形サイズ」）に関する詳細設定画面４００の呼出指示をそれぞれ受け付ける呼出ボタンとして機能する。たとえば、当該読込みサイズ設定画面３０２において詳細設定ボタン３５１（「Ａ系・Ｂ系」）が押下されると、当該詳細設定ボタン３５１に対応する詳細設定画面４００がさらにポップアップ表示される（図１４参照）。
【０１０５】
つぎに、タッチパネル２５の回転操作（縮小操作）が受け付けられた後の動作について説明する。
【０１０６】
横長状態のタッチパネル２５にベース画面２００（２０２）が表示されている場合において、タッチパネル２５の回転操作（縮小操作）が受け付けられると、第１実施形態と同様にして（図７参照）、タッチパネル２５が横長状態から縦長状態へと切り替えられるとともに、ベース画面２０２が変倍率Ｒ１で縮小されて表示される。
【０１０７】
そして、縮小して表示されたベース画面２０２において読込みサイズ設定ボタン２６５が押下されると、読込みサイズ設定画面３０２がポップアップ表示される（図１５参照）。図１５は、縮小操作後のタッチパネル２５（縦長状態のタッチパネル２５）においてポップアップ表示される読込みサイズ設定画面３０２を示す図である。当該読込みサイズ設定画面３０２の表示処理は、第１実施形態（図１０参照）と同様にして実行される。具体的には、ベース画面２０２に対する変倍率Ｒ１よりも大きい変倍率Ｒ２に対応する大きさで読込みサイズ設定画面３０２が生成される（ステップＳ２３）とともに、生成された読込みサイズ設定画面３０２と読込みサイズ設定ボタン２６５とが重ならないように当該読込みサイズ設定画面３０２が配置される（ステップＳ２４）。
【０１０８】
さらに、縮小操作後のタッチパネル２５にて表示される当該読込みサイズ設定画面３０２において、詳細設定ボタン３５１の押下操作が受け付けられると、ＭＦＰ１０は、詳細設定画面４００の表示処理を実行する。詳細設定画面４００の表示処理は、設定画面３００の表示処理（図１０）と同様にして実行される。
【０１０９】
具体的には、まず、詳細設定画面４００の配置許容領域５９０（図１６）が特定される（ステップＳ２１）。ここでは、縮小後のベース画面２０２の配置許容領域５００（縮小操作後のタッチパネル２５の表示領域全体）のうち詳細設定ボタン３５１の下端部よりも下方（下側）に存在する領域が、詳細設定画面４００の配置許容領域５９０として特定される。
【０１１０】
そして、ベース画面２０２に対する変倍率Ｒ１よりも大きい変倍率Ｒ３に対応する大きさで、詳細設定画面４００が生成される（ステップＳ２２，Ｓ２３）。
【０１１１】
具体的には、まず、設定画面３００に対する変倍率Ｒ２と同様にして、詳細設定画面４００に対する変倍率Ｒ３（Ｒ１＜Ｒ３≦Ｒ１０）が算出される（ステップＳ２２）。より具体的には、最大変倍率Ｒ１０が算出されるとともに、算出された最大変倍率Ｒ１０と変倍率「１００％」（詳細設定画面４００の元の大きさに対応する変倍率）とのうち比較的小さい変倍率が、詳細設定画面４００に対する変倍率Ｒ３として算出される。ここでは、算出された最大変倍率Ｒ１０は「１００％」よりも大きいため、変倍率「１００％」（詳細設定画面４００の元の大きさに対応する変倍率）が、詳細設定画面４００に対する変倍率Ｒ３として算出される。そして、算出された変倍率Ｒ３（「１００％」）に対応する大きさ（換言すれば、詳細設定画面４００の元の大きさ）で、当該詳細設定画面４００が生成される（ステップＳ２３）。
【０１１２】
その後、生成された詳細設定画面４００と詳細設定ボタン３５１とが重ならないように当該詳細設定画面４００が配置許容領域５９０内に配置される（ステップＳ２４）。具体的には、詳細設定画面４００の上端部（上辺）が配置許容領域５９０の上端部（すなわち、詳細設定ボタン３５１の下端部）と接するように、生成された詳細設定画面４００が配置される（図１６参照）。
【０１１３】
そして、詳細設定画面４００と詳細設定ボタン３５１との関連付け表示処理が実行される（ステップＳ２５）。ここでは、詳細設定ボタン３５１の背景色を、押下前の詳細設定ボタン３５１の背景色（たとえば白色）から別の色（たとえば灰色）に変更する処理が、当該関連付け表示処理として実行される（図１６参照）。換言すれば、複数の詳細設定ボタン３５１〜３５５のうちの詳細設定ボタン３５１（のみ）の背景色が白色から灰色に変更される。
【０１１４】
このように、縮小操作後に詳細設定画面４００がポップアップ表示される場合においても、ベース画面２０２に対する変倍率Ｒ１よりも大きい変倍率で当該詳細設定画面４００が生成される。これによれば、縮小操作後にポップアップ表示される詳細設定画面４００に対する操作性の低下を抑制することが可能である。
【０１１５】
また、当該詳細設定画面４００が、遷移元の画面（読込みサイズ設定画面３０２）内の特定の詳細設定ボタン３５１に重ならないように配置される（図１６参照）。そのため、ユーザは、詳細設定画面４００がポップアップ表示された場合であっても、当該特定の詳細設定ボタン３５１内の文字列を視認することが可能である。
【０１１６】
＜４．変形例等＞
以上、この発明の実施の形態について説明したが、この発明は上記内容のものに限定されるものではない。
【０１１７】
＜ベース画面の移動処理に関する改変例＞
たとえば、上記各実施形態において、さらに、縮小後のベース画面２００（２０１）にておいて設定画面３００（たとえばカラー設定画面３０１）をより大きく表示させる処理が実行されてもよい。
【０１１８】
ここにおいて、上記各実施形態（第１実施形態）では、配置許容領域５８０（図７）内においてカラー設定画面３０１の横方向（左側および／または右側）に余白領域が存在する（図８参照）ことがある。
【０１１９】
この改変例では、このような余白領域が存在する場合、ベース画面２００を下方に移動させて当該配置許容領域５８０の縦方向画素数サイズＰ２を値Ｈ５（後述）へと増大させ（図１８参照）、増大後の配置許容領域５８０にカラー設定画面３０１がポップアップ表示される（図１９参照）。これにより、カラー設定画面３０１（縮小操作後に表示される設定画面３００）をより大きく表示させることが可能である。
【０１２０】
具体的には、ＭＦＰ１０は、図１０のステップＳ２１（設定画面３００の配置許容領域５８０の特定処理）のサブルーチン処理として、図２０の動作を実行する。
【０１２１】
まず、ＭＦＰ１０は、カラー設定画面３０１の配置許容領域５８０を特定する（ステップＳ３１）とともに、当該カラー設定画面３０１に対する変倍率Ｒ２を仮算出する（ステップＳ３２）。そして、ＭＦＰ１０は、仮算出された変倍率Ｒ２に対応する大きさのカラー設定画面３０１を当該配置許容領域５８０に仮想的に配置する（ステップＳ３３）（図８も参照）。なお、図２０のステップＳ３１，Ｓ３２，Ｓ３３の処理は、図１０のステップＳ２１，Ｓ２２，Ｓ２４と同様にして実行される（第１実施形態参照）。
【０１２２】
そして、ステップＳ３４においては、ＭＦＰ１０は、配置許容領域５８０内においてカラー設定画面３０１の横方向に余白領域が存在するか否か、を判定する。
【０１２３】
たとえば、配置許容領域５８０内においてカラー設定画面３０１の横方向に余白領域が存在しない場合、図２０の動作は終了し、ステップＳ３１にて特定された配置許容領域５８０に基づいて、図１０のステップＳ２２以降の処理が実行される。
【０１２４】
一方、配置許容領域５８０内においてカラー設定画面３０１の横方向に余白領域が存在する場合（図８参照）、処理はステップＳ３４からステップＳ３５へと進み、ベース画面２０１が下方に移動されて配置許容領域５８０の縦方向画素数サイズＰ２が増大される。
【０１２５】
具体的には、まず、縮小操作前のカラー設定画面３０１の横方向画素数サイズＷ２（図６）を配置許容領域５８０の横方向画素数サイズＱ２（図７）に合わせるように変倍したカラー設定画面３０１の縦方向画素数サイズＨ５（図１７）が算出される。換言すれば、当該横方向画素数サイズＷ２に対する横方向画素数サイズＱ２の比率Ｒ３０（＝Ｑ２／Ｗ２）に対応する大きさのカラー設定画面３０１の縦方向画素数サイズＨ５が算出される。そして、算出された縦方向画素数サイズＨ５と配置許容領域５８０の縦方向画素数サイズＰ２との差分（Ｈ５−Ｐ２）（図１７参照）がベース画面２０１の移動量として決定され、決定された移動量でベース画面２０１が下方へと移動される（図１８参照）。その結果、カラー設定画面３０１の配置許容領域５８０の縦方向画素数サイズＰ２が、比率Ｒ３０（＝Ｑ２／Ｗ２）に対応する大きさのカラー設定画面３０１の縦方向画素数サイズＨ５（図１８）に増大される。
【０１２６】
そして、図２０の動作は終了し、増大後の配置許容領域５８０（図１８）に基づいて、図１０のステップＳ２２以降の処理が実行される。これにより、図１９のようなカラー設定画面３０１が表示される。図１９は、増大後の配置許容領域５８０に基づき生成されて表示されたカラー設定画面３０１を示す図である。図１９のカラー設定画面３０１は、図８のカラー設定画面３０１（配置許容領域５８０の増大処理を実行しない場合に表示されるカラー設定画面３０１）よりも大きく表示される。なお、増大後の配置許容領域５８０内に設定画面３００がその縦横比を変更せずに収まる最大限の大きさが、当該設定画面３００の元の大きさよりも大きい場合は、設定画面３００の元の大きさで（換言すれば、変倍率「１００％」で）当該設定画面３００が生成されるようにしてもよい。
【０１２７】
このように、ベース画面２００を下方に移動させて設定画面３００の配置許容領域５８０を拡大することによって、設定画面３００がより大きく表示されるようにしてもよい。
【０１２８】
＜設定画面３００の配置許容領域５８０に関する改変例＞
また、上記各実施形態等においては、縮小後のベース画面２００の配置許容領域５００のうち特定の設定ボタン（カラー設定ボタン２５２）の上端部よりも上方に存在する領域（図７参照）が、ポップアップ表示される設定画面３００（カラー設定画面３０１）の配置許容領域５８０として特定されている（ステップＳ２１（図１０））が、これに限定されない。
【０１２９】
たとえば、縮小後のベース画面２００の配置許容領域５００のうち当該カラー設定ボタン２５２の下端部よりも下方（下側）に存在する領域（図２８参照）が、カラー設定画面３０１の配置許容領域５８０として特定されてもよい。この場合、カラー設定画面３０１が、当該配置許容領域５８０の上端部（上辺）に接するように（すなわち、カラー設定ボタン２５２の下端部に接するように）配置されてもよい。
【０１３０】
また、縮小後のベース画面２００の配置許容領域５００のうちカラー設定ボタン２５２の上端部よりも上方に存在する領域（図７）の大きさ（たとえば縦方向画素数サイズ）とカラー設定ボタン２５２の下端部よりも下方に存在する領域（図２８）の大きさ（縦方向画素数サイズ）とが比較され、両領域のうち比較的大きい領域が、カラー設定画面３０１の配置許容領域５８０として特定されてもよい。
【０１３１】
＜関連付け表示処理に関する改変例＞
さらに、上記各実施形態等においては、ポップアップ表示される設定画面３００（たとえばカラー設定画面３０１）と特定の設定ボタン（カラー設定ボタン２５２）との関連付け表示処理（ステップＳ２５（図１０））として、カラー設定画面３０１とカラー設定ボタン２５２との境界線が非表示化されている（図８参照）が、これに限定されない。
【０１３２】
たとえば、カラー設定ボタン２５２の背景をカラー設定画面３０１の背景と同一の色を用いて表示し且つカラー設定ボタン２５２以外の設定ボタン２５１，２５３〜２５７の背景をカラー設定画面３０１の背景とは異なる色を用いて表示する処理が、関連付け表示処理として実行されてもよい。
【０１３３】
具体的には、図２１に示されるように、ＭＦＰ１０は、縮小表示されたベース画面２００内の複数の設定ボタン２５１〜２５７のうちのカラー設定ボタン２５２の背景を、カラー設定画面３０１の背景と同一の色（たとえば白色）を用いて表示する。また、ＭＦＰ１０は、当該複数の設定ボタン２５１〜２５７のうち、当該カラー設定ボタン２５２以外のボタン２５１，２５３〜２５７の背景を、カラー設定画面３０１の背景とは異なる色（たとえば灰色）を用いて表示する。なお、カラー設定ボタン２５２以外の設定ボタン２５１，２５３〜２５７の背景のみならず、縮小表示されたベース画面２００の背景もが、カラー設定画面３０１の背景とは異なる色（たとえば灰色）を用いて表示されてもよい。
【０１３４】
このように、カラー設定ボタン２５２の背景をカラー設定画面３０１の背景と同一の色を用いて表示し且つカラー設定ボタン２５２以外の設定ボタン２５１，２５３〜２５７の背景をカラー設定画面３０１の背景とは異なる色を用いて表示する処理（背景色変更処理）が、関連付け表示処理として実行されてもよい。
【０１３５】
なお、境界線の非表示化処理と背景色変更処理との双方が関連付け表示処理として実行されてもよい。
【０１３６】
また、図２９に示されるように、変倍率Ｒ２で変倍されたカラー設定画面３０１がカラー設定ボタン２５２と接していない場合、当該カラー設定画面３０１とカラー設定ボタン２５２とを接続する接続線３６０を付加する処理が関連付け表示処理として実行されてもよい。
【０１３７】
なお、上記各実施形態等においては、関連付け表示処理（ステップＳ２５（図１０））が実行されているが、これに限定されず、当該関連付け表示処理が実行されないようにしてもよい。
【０１３８】
＜ハードウエアキー画像との重畳回避について＞
また、上記各実施形態等において、設定画面３００（たとえばカラー設定画面３０１）が、特定の設定ボタン（たとえばカラー設定ボタン２５２）内の文字領域（２７２）に重ならないように配置されるとともに、さらに、ハードウエアキー画像６５１〜６５９（図２４）にも重ならないように配置されてもよい。
【０１３９】
ここにおいて、この改変例に係るＭＦＰ１０には、当該ＭＦＰ１０とは別の機種のＭＦＰ（旧来のＭＦＰ）の操作パネル部に設けられているハードウエアキー（「スタート」キー、「ストップ」キー、「リセット」キーおよび／または「電源」キー等）が設けられていない。この改変例に係るＭＦＰ１０では、当該ハードウエアキーの変わりに、当該ハードウエアキーに対応するハードウエアキー画像６５１〜６５９（図２２参照）がベース画面２００（２０３）内に設けられている。
【０１４０】
当該ハードウエアキー画像６５１〜６５９（図２２）は、ユーザの押下操作に応答して、対応するハードウエアキーと同様の指示（実行指示）を受け付けるキー画像（ソフトウエアキー画像）である。たとえば、ハードウエアキー画像６５１（「電源」キー）は、ＭＦＰ１０の電源状態を通常状態から節電状態（スリープ状態）へと切り替える指示等を受け付けるキー画像である。ハードウエアキー画像６５２（「スタート」キー）は、ジョブの実行開始指示を受け付けるキー画像である。ハードウエアキー画像６５３（「ストップ」キー）は、ジョブの停止指示（一時停止指示）を受け付けるキー画像である。ハードウエアキー画像６５４（「リセット」キー）は、ジョブの設定操作等の中止指示（リセット指示）を受け付けるキー画像である。なお、ここでは、ハードウエアキー画像６５１〜６５９は、対応するハードウエアキーを模した形状を有する。
【０１４１】
また、ハードウエアキー画像６５１〜６５９は、ハードウエアキー領域６００（図２２）に配置される。ここでは、図２２に示されるように、ハードウエアキー領域６００は、コピージョブの設定に関する初期表示画面２３０の右側および下側に配置される。換言すれば、当該初期表示画面２３０は、ベース画面２０３内において、ハードウエアキー領域６００以外の領域（部分領域５５０）に配置される。なお、当該初期表示画面２３０は、第１実施形態のベース画面２０１（図５）と同様の画面である。
【０１４２】
このような画面構成をタッチパネル２５が有する場合、縮小操作（回転操作）後にカラー設定画面３０１をポップアップ表示するにあたっては、当該カラー設定画面３０１が、カラー設定ボタン２５２内の文字領域２７２（ここでは、カラー設定画面２５２の配置領域）に重ならないように配置される（図２４参照）。さらに、当該カラー設定画面３０１が、ハードウエアキー画像６５１〜６５９にも重ならないように配置される（図２４参照）。
【０１４３】
具体的には、まず、ユーザの縮小操作（回転操作）が受け付けられると、第１実施形態と同様にして、ベース画面２００（２０３）が変倍率Ｒ１で縮小されて表示される（図２３参照）。
【０１４４】
そして、当該ベース画面２０３（コピージョブの設定に関する初期表示画面２３０）内の特定の設定ボタン（カラー設定ボタン２５２）の押下操作が受け付けられると、カラー設定画面３０１がポップアップ表示される（図２４参照）。
【０１４５】
詳細には、縮小後のベース画面２０３の配置許容領域５００（縦長状態のタッチパネル２５の表示領域全体）のうち、カラー設定ボタン２５２（カラー設定ボタン２５２を含む複数の設定ボタン２５１〜２５７）の配置領域とハードウエアキー画像６５１〜６５９の配置領域（ハードウエアキー領域６００）とを除き且つカラー設定ボタン２５２の上端部よりも上方に存在する領域が、カラー設定画面３０１の配置許容領域５８０として特定される（ステップＳ２１（図１０））。なお、この改変例に係る配置許容領域５８０（図２３参照）は、初期表示画面２３０（その右側にハードウエアキー領域６００が設けられている画面）の幅と同じ幅を有する。そして、特定された配置許容領域５８０内に当該カラー設定画面３０１が配置される（図２４参照）。詳細には、ベース画面２０３に対する変倍率Ｒ１よりも大きい変倍率Ｒ２に対応する大きさでカラー設定画面３０１が生成される（ステップＳ２３）とともに、カラー設定ボタン２５２およびハードウエアキー画像６５１〜６５９に重ならないようにカラー設定画面３０１が配置される（ステップＳ２４）。
【０１４６】
このように、ポップアップ表示される設定画面３００（３０１）が、特定の設定ボタン（２５２）の文字領域（２７２）のみならずハードウエアキー画像６５１〜６５９にも重ならないように配置されてもよい。これによれば、設定画面３００（３０１）がポップアップ表示された場合であっても、ユーザは、ハードウエアキー画像６５１〜６５９を押下することが可能である。
【０１４７】
＜縮小操作に関する改変例＞
また、上記各実施形態等においては、操作パネル部６ｃ（タッチパネル２５）の回転操作（図３）が表示画面の縮小操作として受け付けられているが、これに限定されず、他の操作が表示画面の縮小操作として受け付けられてもよい。たとえば、ベース画面２００に対するピンチイン操作（２本の手指がタッチパネル２５に接した状態で当該２本の手指（あるいは一方の手指）の間隔を狭める操作）（図２５）が表示画面の縮小操作として受け付けられてもよい。
【０１４８】
図２５は、ピンチイン操作が行われる様子を示す図である。この改変例では、タッチパネル２５の表示領域が複数の領域に分割される。詳細には、タッチパネル２５の表示領域が、ベース画面２００（２０１）の配置許容領域５００とプレビュー画面の表示用領域７００とに分割される（図２５参照）。また、この改変例では、ユーザ操作に応じて、各領域５００，７００の大きさが変更される。たとえば、ユーザがベース画面２００に対してピンチイン操作を行う（図２５参照）と、当該ピンチイン操作に応じた変倍率でベース画面２００の配置許容領域５００が縮小されるとともに、プレビュー画面の表示用領域７００が拡大される（図２６参照）。また、ベース画面２００の配置許容領域５００の縮小に伴って、当該ベース画面２００は、ピンチイン操作に応じた変倍率Ｒ１で縮小されて表示される（図２６参照）。
【０１４９】
このように、ピンチイン操作が縮小操作として受け付けられてもよい。
【０１５０】
ピンチイン操作に応じて縮小して表示されたベース画面２００にて設定画面３００（カラー設定画面３０１）がポップアップ表示される場合においても、上記各実施形態等と同様にして、当該設定画面３００（３０１）の表示処理（ステップＳ２１〜Ｓ２５（図１０））等が実行される。具体的には、ベース画面２００に対する変倍率（ピンチイン操作に応じた変倍率）Ｒ１よりも大きい変倍率Ｒ２に対応する大きさでカラー設定画面３０１が生成される（ステップＳ２３）とともに、生成されたカラー設定画面３０１が、設定ボタン２５２に重ならないように配置許容領域５８０内に配置される（ステップＳ２４）（図２７参照）。なお、当該配置許容領域５８０は、プレビュー画面の表示用領域７００を含まず、カラー設定画面３０１は、プレビュー画面の表示用領域７００にも重ならないように配置される。
【０１５１】
＜その他＞
さらに、上記各実施形態等においては、図９および図１０の動作等を実行する表示装置（表示制御装置）としてＭＦＰ１０が例示されているが、これに限定されない。当該表示装置（表示制御装置）は、その他の各種の装置（タブレット端末等）であってもよい。
【符号の説明】
【０１５２】
１０  ＭＦＰ（表示装置）
２５  タッチパネル
２００〜２０３  ベース画面
２５１〜２５７，２６１〜２６６  設定ボタン
３００〜３０２  設定画面
４００  詳細設定画面
５００  ベース画面の配置許容領域
５８０  設定画面の配置許容領域
【図１】
2019106007.tif 000003
【図２】
2019106007.tif 000004
【図３】
2019106007.tif 000005
【図４】
2019106007.tif 000006
【図５】
2019106007.tif 000007
【図６】
2019106007.tif 000008
【図７】
2019106007.tif 000009
【図８】
2019106007.tif 000010
【図９】
2019106007.tif 000011
【図１０】
2019106007.tif 000012
【図１１】
2019106007.tif 000013
【図１２】
2019106007.tif 000014
【図１３】
2019106007.tif 000015
【図１４】
2019106007.tif 000016
【図１５】
2019106007.tif 000017
【図１６】
2019106007.tif 000018
【図１７】
2019106007.tif 000019
【図１８】
2019106007.tif 000020
【図１９】
2019106007.tif 000021
【図２０】
2019106007.tif 000022
【図２１】
2019106007.tif 000023
【図２２】
2019106007.tif 000024
【図２３】
2019106007.tif 000025
【図２４】
2019106007.tif 000026
【図２５】
2019106007.tif 000027
【図２６】
2019106007.tif 000028
【図２７】
2019106007.tif 000029
【図２８】
2019106007.tif 000030
【図２９】
2019106007.tif 000031